Podtech/llm-jp-corpus-v4-ja_patent huggingface dataset:
【手続補正書】
【提出日】令和3年10月15日(2021.10.15)
【手続補正１】
【補正対象書類名】特許請求の範囲
【補正対象項目名】全文
【補正方法】変更
【補正の内容】
【特許請求の範囲】
【請求項１】
回転翼（３０）を有する電動垂直離着陸機（１００）に搭載され前記回転翼を回転駆動させる駆動用モータ（１２）を有する電駆動システム（１０）を制御する制御装置（１９）であって、
前記制御装置は、前記電駆動システムを、前記電動垂直離着陸機を飛行させるための動作モードである通常モードと、前記電駆動システムの正常性を確認するための動作モードである機能試験モードの少なくとも２種類の動作モードのうちのいずれかの動作モードで選択的に動作するように制御し、
前記通常モードにおいて、前記制御装置は、前記電動垂直離着陸機の飛行を制御する機体制御装置（５０）からの指令に応じて前記駆動用モータを制御し、
前記機能試験モードにおいて、前記制御装置は、機能試験用プログラムに従って外部から送信される指令に応じて、または、自身に予め設定されている前記機能試験用プログラムに応じて、前記駆動用モータを制御する、
制御装置。
【請求項２】
請求項１に記載の制御装置において、
前記駆動用モータに関する回転数と、駆動電流と、駆動電圧と、推力と、のうちの少なくとも１つの計測結果を取得する計測結果取得部（１９２）と、
取得された前記計測結果を用いて前記機能試験の合否を判定する合否判定部（１９３）と、
を備える、制御装置。
【請求項３】
請求項２に記載の制御装置において、
前記電駆動システムは、前記回転数を計測する回転数計測部を有し、
前記計測結果取得部は、前記回転数計測部から前記回転数の計測結果を取得する、制御装置。
【請求項４】
請求項２または請求項３に記載の制御装置において、
前記電駆動システムは、前記推力を計測する推力計測部をさらに有し、
前記計測結果取得部は、前記推力計測部から前記推力の計測結果を取得し、
前記合否判定部は、前記機能試験モードにおける前記推力の想定値である推力想定値と、取得された前記推力の前記計測結果と、を用いて、前記機能試験の合否を判定する、制御装置。
【請求項５】
請求項４に記載の制御装置において、
大気密度と、前記駆動用モータに対する前記回転数の指令値と、前記回転翼の取付角度とから、前記推力想定値を算出する推力想定値算出部（１９４）と、
をさらに備える、制御装置。
【請求項６】
請求項４に記載の制御装置において、
前記推力想定値を外部から入力するための入力インターフェイスを、さらに備える制御装置。
【請求項７】
請求項２に記載の制御装置において、
前記電駆動システムは、
直接的に、または、前記電動垂直離着陸機の機体（２０）を介して間接的に、前記電駆動システムを推力発生方向に保持可能な治具と連結するための機械的な連結部（６０）を、有する、制御装置。
【請求項８】
請求項７に記載の制御装置において、
前記電駆動システムは、前記治具に配置されている前記駆動用モータの推力を計測する
推力計測装置から計測結果を入力するための入力インターフェイスを有し、
前記計測結果取得部は、前記入力インターフェイスから入力される前記推力の前記計測結果を取得する、制御装置。
【請求項９】
請求項１から請求項８までのいずれか一項に記載の制御装置において、
前記駆動用モータに関する回転数と、駆動電流と、駆動電圧と、推力と、のうちの少なくとも１つの計測結果を取得する計測結果取得部と、
前記駆動用モータへの指令値と、取得された前記計測結果と、前記機能試験の合否結果と、のうちの少なくとも１つを記憶する記憶部（１９ｂ）を、さらに備える、制御装置。
【請求項１０】
請求項１から請求項９までのいずれか一項に記載の制御装置において、
前記駆動用モータに関する回転数と、駆動電流と、駆動電圧と、推力と、のうちの少なくとも１つの計測結果を取得する計測結果取得部と、
前記駆動用モータへの指令値と、取得された前記計測結果と、前記機能試験の合否結果と、のうちの少なくとも１つを前記電駆動システムが有する送信インターフェイスを介して外部に送信するための送信インターフェイスを、さらに備える、制御装置。
【手続補正２】
【補正対象書類名】明細書
【補正対象項目名】０００６
【補正方法】変更
【補正の内容】
【０００６】
本開示の一形態によれば、電動垂直離着陸機（１００）の制御装置（１９）が提供される。この制御装置は、回転翼（３０）を有する電動垂直離着陸機に搭載され前記回転翼を回転駆動させる駆動用モータ（１２）を有する電駆動システム（１０）を制御する制御装置であって、前記制御装置は、前記電駆動システムを、前記電動垂直離着陸機を飛行させるための動作モードである通常モードと、前記電駆動システムの正常性を確認するための動作モードである機能試験モードの少なくとも２種類の動作モードのうちのいずれかの動作モードで選択的に動作するように制御し、前記通常モードにおいて、前記制御装置は、前記電動垂直離着陸機の飛行を制御する機体制御装置（５０）からの指令に応じて前記駆動用モータを制御し、前記機能試験モードにおいて、前記制御装置は、機能試験用プログラムに従って外部から送信される指令に応じて、または、自身に予め設定されている前記機能試験用プログラムに応じて、前記駆動用モータを制御する。
【手続補正書】
【提出日】令和3年9月3日(2021.9.3)
【手続補正１】
【補正対象書類名】特許請求の範囲
【補正対象項目名】全文
【補正方法】変更
【補正の内容】
【特許請求の範囲】
【請求項１】
モノマー組成物の重合によって得ることができるポリアルキル（メタ）アクリレートポリマーであって、前記モノマー組成物は、
ａ）（メタ）アクリル酸と数平均分子量１，８００〜２，２００ｇ／ｍｏｌの１つのヒドロキシル化水素化ポリブタジエンとの１つ以上のエステルを、前記モノマー組成物の総質量に対して１５〜３５質量％と、
ｂ）メチル（メタ）アクリレートおよびブチル（メタ）アクリレートを、前記モノマー組成物の総質量に対して５０〜６０質量％と、
ｃ）１つ以上の直鎖または分岐鎖Ｃ７〜Ｃ３０アルキル（メタ）アクリレートを、前記モノマー組成物の総質量に対して５〜３５質量％と
を含み、ここで、メチル（メタ）アクリレートとブチル（メタ）アクリレートとの質量比は、５：１〜３：１であり、かつ前記ポリアルキル（メタ）アクリレートポリマーは、５０，０００〜２５０，０００ｇ／ｍｏｌの質量平均分子量（Ｍｗ）を有する、ポリアルキル（メタ）アクリレートポリマー。
【請求項２】
前記モノマー組成物は、エーテルアルコールの（メタ）アクリレート、アミノアルキル（メタ）アクリレート、アミノアルキル（メタ）アクリルアミド、芳香族基を含むビニルモノマー、好ましくはスチレンからなる群から選択される１つ以上のモノマーｄ）をさらに含む、請求項１記載のポリマー。
【請求項３】
前記モノマー組成物は、モノマーｄ）を前記モノマー組成物の総質量に対して０．１〜５質量％含み、好ましくはモノマーｄ）を前記モノマー組成物の総質量に対して０．１〜２質量％含む、請求項２記載のポリマー。
【請求項４】
前記モノマーｃ）は、１つ以上の直鎖または分岐鎖Ｃ７〜Ｃ１５アルキル（メタ）アクリレート、好ましくは直鎖または分岐鎖Ｃ１２〜Ｃ１４アルキル（メタ）アクリレートである、請求項１から３までのいずれか１項記載のポリマー。
【請求項５】
前記モノマー組成物は、モノマーａ）を、前記モノマー組成物の総質量に対して１５〜３０質量％含む、請求項１から４までのいずれか１項記載のポリマー。
【請求項６】
前記モノマー組成物は、モノマーｂ）を、前記モノマー組成物の総質量に対して５０〜５５質量％含む、請求項１から５までのいずれか１項記載のポリマー。
【請求項７】
前記モノマー組成物は、モノマーｃ）を、前記モノマー組成物の総質量に対して１５〜３５質量％含む、請求項１から６までのいずれか１項記載のポリマー。
【請求項８】
前記モノマー組成物の総質量に対する前記モノマー組成物のモノマーａ）、ｂ）、ｃ）およびｄ）の質量含分の合計は、１００質量％である、請求項１から７までのいずれか１項記載のポリマー。
【請求項９】
前記モノマー組成物は、
ａ）（メタ）アクリル酸と数平均分子量１，８００〜２，２００ｇ／ｍｏｌの１つのヒドロキシル化水素化ポリブタジエンとの１つ以上のエステルを、前記モノマー組成物の総質量に対して１５〜３０質量％と、
ｂ）メチル（メタ）アクリレートおよびブチル（メタ）アクリレートを、前記モノマー組成物の総質量に対して５０〜５５質量％と、
ｃ）１つ以上の直鎖Ｃ１２〜Ｃ１４アルキル（メタ）アクリレートを、前記モノマー組成物の総質量に対して２０〜３０質量％と、
ｄ）スチレンを、前記モノマー組成物の総質量に対して０．１〜２質量％と
を含み、ここで、前記モノマー組成物の総質量に対する前記モノマー組成物のモノマーａ）、ｂ）、ｃ）およびｄ）の質量含分の合計は、１００質量％である、請求項１から８までのいずれか１項記載のポリマー。
【請求項１０】
ポリアルキル（メタ）アクリレートポリマーの製造方法であって、
（ｘ）請求項１から９までのいずれか１項記載のモノマー組成物を提供する工程と、
（ｙ）前記モノマー組成物のラジカル重合を開始する工程と
を含む、方法。
【請求項１１】
潤滑剤組成物の粘度指数およびせん断抵抗性を改善するための潤滑剤組成物用の添加剤としての、請求項１から９までのいずれか１項記載のポリアルキル（メタ）アクリレートポリマーの使用。
【請求項１２】
（ｉ）１つ以上の基油と、
（ｉｉ）請求項１から９までのいずれか１項記載のポリアルキル（メタ）アクリレートポリマーと
を含む、組成物。
【請求項１３】
前記１つ以上の基油は、ＡＰＩグループＩＩＩの基油またはＡＰＩグループＩＩＩの基油の混合物である、請求項１２記載の組成物。
【請求項１４】
前記組成物は、前記組成物の総質量に対して９０〜９９．５質量％、好ましくは９２〜９９．５質量％の１つ以上の基油（ｉ）と、前記組成物の総質量に対して０．５〜１０質量％、好ましくは０．５〜８質量％の前記ポリアルキル（メタ）アクリレートポリマー（ｉｉ）とを含む潤滑剤組成物である、請求項１２または１３記載の組成物。
【手続補正書】
【提出日】令和3年6月14日(2021.6.14)
【手続補正１】
【補正対象書類名】特許請求の範囲
【補正対象項目名】全文
【補正方法】変更
【補正の内容】
【特許請求の範囲】
【請求項１】
下地基板と、コランダム構造を有する結晶性酸化物膜とを有する積層構造体であって、
前記結晶性酸化物膜が、不純物として少なくとも炭素（Ｃ）を含み、
前記結晶性酸化物膜の二乗平均平方根粗さ（ＲＭＳ）が０．１μｍ以下であることを特徴とする積層構造体。
【請求項２】
前記結晶性酸化物膜中のＣ濃度が２×１０１７〜２×１０２０／ｃｍ３であることを特徴とする請求項１に記載の積層構造体。
【請求項３】
前記結晶性酸化物膜の膜厚が１μｍ以上であることを特徴とする請求項１又は請求項２に記載の積層構造体。
【請求項４】
前記下地基板がｃ面サファイア基板であることを特徴とする請求項１〜３のいずれか１項に記載の積層構造体。
【請求項５】
前記結晶性酸化物膜の面積が１００ｍｍ２以上であることを特徴とする請求項１〜４のいずれか１項に記載の積層構造体。
【請求項６】
原料溶液を微粒子化して生成される原料微粒子を、キャリアガスによって基板へ搬送し、前記基板上で前記原料微粒子を熱反応させて、コランダム構造を有する結晶性酸化物膜を成膜する積層構造体の製造方法であって、
前記原料溶液に少なくとも炭素（Ｃ）を含む表面平滑剤を混合することで、前記結晶性酸化物膜へのＣのドーピング処理を行い、前記結晶性酸化物膜の表面の二乗平均平方根粗さ（ＲＭＳ）を０．１μｍ以下とすることを特徴とする積層構造体の製造方法。
【請求項７】
前記表面平滑剤として、アルコール類又はジケトン類のいずれか１つ以上を用いることを特徴とする請求項６に記載の積層構造体の製造方法。
【請求項８】
コランダム構造を有する第一の結晶性酸化物膜と、コランダム構造を有する第二の結晶性酸化物膜とを含む積層構造体であって、
前記第二の結晶性酸化物膜の上に前記第一の結晶性酸化物膜を有し、
前記第二の結晶性酸化物膜が、不純物として少なくとも炭素（Ｃ）を含むものであることを特徴とする積層構造体。
【請求項９】
前記第二の結晶性酸化物膜中のＣ濃度が２×１０１７〜２×１０２０／ｃｍ３であることを特徴とする請求項８に記載の積層構造体。
【請求項１０】
前記第一の結晶性酸化物膜の膜厚が１μｍ以上であることを特徴とする請求項８又は請求項９に記載の積層構造体。
【請求項１１】
前記第一の結晶性酸化物膜の面積が１００ｍｍ２以上であることを特徴とする請求項８〜１０のいずれか１項に記載の積層構造体。
【請求項１２】
請求項１〜５、８〜１１のいずれか１項に記載の積層構造体を含むことを特徴とする半導体装置。
【手続補正２】
【補正対象書類名】明細書
【補正対象項目名】０００８
【補正方法】変更
【補正の内容】
【０００８】
本発明は、上記目的を達成するためになされたものであり、下地基板と、コランダム構造を有する結晶性酸化物膜とを有する積層構造体であって、前記結晶性酸化物膜が、不純物として少なくとも炭素（Ｃ）を含み、前記結晶性酸化物膜の二乗平均平方根粗さ（ＲＭＳ）が０．１μｍ以下である積層構造体を提供する。
【手続補正３】
【補正対象書類名】明細書
【補正対象項目名】００３４
【補正方法】変更
【補正の内容】
【００３４】
本発明者らは、上記課題について鋭意検討を重ねた結果、下地基板と、コランダム構造を有する結晶性酸化物膜とを有する積層構造体であって、前記結晶性酸化物膜が、不純物として少なくとも炭素（Ｃ）を含み、前記結晶性酸化物膜の二乗平均平方根粗さ（ＲＭＳ）が０．１μｍ以下である積層構造体により、表面が平滑な結晶性酸化物膜を有し、半導体装置に適用した場合に半導体特性の優れた積層構造体となることを見出し、本発明を完成した。
【手続補正書】
【提出日】令和3年10月20日(2021.10.20)
【手続補正１】
【補正対象書類名】特許請求の範囲
【補正対象項目名】全文
【補正方法】変更
【補正の内容】
【特許請求の範囲】
【請求項１】
表示画面を備え、エレベーターのカゴの天井近くに設置され、当該カゴ内で広告を表示する広告表示装置であって、
前記エレベーターの乗員に対する広告に関する広告情報を無線通信により受信する受信部と、
前記受信部によって受信された広告情報を記憶する記憶部と、
前記受信部によって受信され、前記記憶部に記憶された広告情報に基づいて、前記表示画面に広告を表示する表示制御部と、
を備えたことを特徴とする広告表示装置。
【請求項２】
携帯電話回線を備え、
前記受信部は、前記携帯電話回線による無線通信インタフェースによって携帯電話回線網を介して前記広告情報を受信することを特徴とする請求項１に記載の広告表示装置。
【請求項３】
前記広告情報は、前記乗員に対する特典に関する特典情報を含むことを特徴とする請求項１または２に記載の広告表示装置。
【請求項４】
前記エレベーターのカゴの外側に設けられた電気回路からの電源の供給を受けて、当該カゴ内で当該表示画面に広告を表示することを特徴とする請求項１〜３のいずれか一つに記載の広告表示装置。
【請求項５】
前記エレベーターのカゴに後付けされ、当該カゴの外側に設けられた電気回路からの電源の供給を受けて、当該カゴ内で当該表示画面に広告を表示するタブレット端末によって構成されることを特徴とする請求項１〜３のいずれか一つに記載の広告表示装置。
【請求項６】
自装置を前記カゴの壁面または前記カゴの天井にネジ止めにより設置することを特徴とする請求項１〜５のいずれか一つに記載の広告表示装置。
【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
（１）衣服を構成する布地の少なくとも一部にヒートカットによりファン取付孔を形成する工程と、
（２）前記ファン取付孔と略同一形状の開口部を有する略環状体からなるファン取付用ワッペンを、前記ファン取付孔及び前記開口部が揃うように、前記衣服の内側から前記布地に配置する工程と、
（３）前記ワッペンの略環状体の内周部分及び外周部分を前記布地に縫製することにより、前記ワッペンを前記衣服に取り付ける工程と、
を有すること、
を特徴とするファン取付孔の強化形成方法。
【請求項２】
少なくとも一部にファン取付孔を有する布地で構成された衣服と、
前記ファン取付孔と略同一形状の開口部を有する略環状体からなるファン取付用ワッペンと、を具備し、
前記ファン取付孔及び前記開口部が揃うように、前記衣服の内側から前記布地に配置されており、
前記ワッペンの略環状体の内周部分及び外周部分において前記布地に接続する縫製部分を有すること、
を特徴とする強化ファン取付孔付き衣服。
【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
遊技領域が形成された遊技盤を備え、前記遊技盤に植設された遊技釘によって前記遊技領域を流下する遊技球の流下方向が変化可能に構成された遊技機において、
前記遊技領域内に打込まれた遊技球を開口部より受入可能とされた受入口と、
左右に延びていると共に上面を遊技球が転動可能なように左右のうちの一方が低い傾斜面を有した案内部材を遊技釘が植設される前記遊技盤の前面よりも前方の前記遊技領域内に突出可能な突出案内手段と、
を備え、
前記受入口の前記開口部は、遊技釘が植設される前記遊技盤の前面よりも前方に設けられており、
前記突出案内手段は、前記案内部材を前記案内部材の上面を遊技球が転動可能となる位置まで前記遊技領域内に突出させることで前記案内部材の上面と前記受入口の前記開口部を連通させ、前記案内部材の上面を転動する遊技球を前記受入口へ受け入れ可能とし、
前記案内部材が前記遊技領域内に突出させていない状態においては、前記受入口へ遊技球が受け入れられないように前記案内部材の上面と前記受入口の前記開口部が連通しないようにさせているとともに、前記開口部からの遊技球の受け入れを阻止するように前記開口部の前方に近接断路手段を位置させており、
前記近接断路手段は、前記案内部材の上面を転動する遊技球を上面から見た場合に遊技球の転動方向と直交する方向に前記案内部材の動作に合わせて動作するようにされているとともに、前記突出案内手段により前記案内部材が前記遊技領域内に突出され前記案内部材の上面を２つの遊技球が連なって転動している状態において前記案内部材の突出が終了した場合に前記受入口へ向かう２つの遊技球の間に割り込むように動作可能とされ、
前記受入口の前記開口部より受け入れた遊技球を検出する検出部を遊技釘が植設される前記遊技盤の前面よりも前方に設けることで前記開口部より受け入れた遊技球を迅速に検出可能にさせており、
左右に延びていると共に前記案内部材の傾斜面の傾斜方向と相対する傾斜方向の傾斜面を有した固定棚部を前記案内部材よりも上流側に設けることで、前記固定棚部の上面を転動した遊技球が前記案内部材の上面を転動可能にしている
ことを特徴とする遊技機。
【手続補正２】
【補正対象書類名】明細書
【補正対象項目名】０００７
【補正方法】変更
【補正の内容】
【０００７】
手段１：遊技領域が形成された遊技盤を備え、前記遊技盤に植設された遊技釘によって前記遊技領域を流下する遊技球の流下方向が変化可能に構成された遊技機において、
前記遊技領域内に打込まれた遊技球を開口部より受入可能とされた受入口と、
左右に延びていると共に上面を遊技球が転動可能なように左右のうちの一方が低い傾斜面を有した案内部材を遊技釘が植設される前記遊技盤の前面よりも前方の前記遊技領域内に突出可能な突出案内手段と、
を備え、
前記受入口の前記開口部は、遊技釘が植設される前記遊技盤の前面よりも前方に設けられており、
前記突出案内手段は、前記案内部材を前記案内部材の上面を遊技球が転動可能となる位置まで前記遊技領域内に突出させることで前記案内部材の上面と前記受入口の前記開口部を連通させ、前記案内部材の上面を転動する遊技球を前記受入口へ受け入れ可能とし、
前記案内部材が前記遊技領域内に突出させていない状態においては、前記受入口へ遊技球が受け入れられないように前記案内部材の上面と前記受入口の前記開口部が連通しないようにさせているとともに、前記開口部からの遊技球の受け入れを阻止するように前記開口部の前方に近接断路手段を位置させており、
前記近接断路手段は、前記案内部材の上面を転動する遊技球を上面から見た場合に遊技球の転動方向と直交する方向に前記案内部材の動作に合わせて動作するようにされているとともに、前記突出案内手段により前記案内部材が前記遊技領域内に突出され前記案内部材の上面を２つの遊技球が連なって転動している状態において前記案内部材の突出が終了した場合に前記受入口へ向かう２つの遊技球の間に割り込むように動作可能とされ、
前記受入口の前記開口部より受け入れた遊技球を検出する検出部を遊技釘が植設される前記遊技盤の前面よりも前方に設けることで前記開口部より受け入れた遊技球を迅速に検出可能にさせており、
左右に延びていると共に前記案内部材の傾斜面の傾斜方向と相対する傾斜方向の傾斜面を有した固定棚部を前記案内部材よりも上流側に設けることで、前記固定棚部の上面を転動した遊技球が前記案内部材の上面を転動可能にしている
ことを特徴とする遊技機。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
患者の骨盤に固定されるように構成された固定ベースを備える治具と、
前記治具に連結されるように構成された外科的配向装置であって、ディスプレイを備える外科的配向装置と、
前記治具に連結されるように構成された光学的構成要素であって、前記患者の肢の一部分に向けて光を投影するように構成された光学的構成要素と、
を備え、
前記光学的構成要素は、前記外科的配向装置から独立して位置付けられるように構成され、
前記光学的構成要素は、前記骨盤に対して前記肢の本来の位置を再現するように視覚的案内を提供するように構成される、股関節ナビゲーションシステム。
【請求項２】
前記光学的構成要素は、ポイント、平面、及び／又は十字線をターゲット上に投影するように構成される、請求項１に記載の股関節ナビゲーションシステム。
【請求項３】
前記光学的構成要素は、交差する２本の線を投影するように構成される、請求項１に記載の股関節ナビゲーションシステム。
【請求項４】
光の入射を示すためにターゲットをさらに備える、請求項１に記載の股関節ナビゲーションシステム。
【請求項５】
脚長さを確認するために大腿近位部の一部を記録するように構成されたプローブをさらに備える、請求項１に記載の股関節ナビゲーションシステム。
【請求項６】
関節オフセットを確認するために大腿近位部の一部を記録するように構成されたプローブをさらに備える、請求項１に記載の股関節ナビゲーションシステム。
【請求項７】
前記治具は第１のアセンブリを備え、
前記第１のアセンブリは、前記外科的配向装置と連結するように構成される、請求項１に記載の股関節ナビゲーションシステム。
【請求項８】
前記治具は、第２のアセンブリを備え、
前記第２のアセンブリは、プローブと連結するように構成される、請求項１に記載の股関節ナビゲーションシステム。
【請求項９】
プローブをさらに備える、請求項１に記載の股関節ナビゲーションシステム。
【請求項１０】
前記プローブの配向及び回転を検知するように構成された配向検知装置をさらに備える、請求項９に記載の股関節ナビゲーションシステム。
【請求項１１】
インパクタをさらに備え、
前記配向検知装置は、前記インパクタと連結されるように構成される、請求項１０に記載の股関節ナビゲーションシステム。
【請求項１２】
前記治具に連結されるように構成された配向検知装置をさらに備え、
前記光学的構成要素、前記外科的配向装置、及び、前記配向検知装置は、独立して位置付けられるように構成される、請求項１に記載の股関節ナビゲーションシステム。
【請求項１３】
前記治具は、ボール及びソケットジョイントとされる、請求項１に記載の股関節ナビゲーションシステム。
【請求項１４】
前記光学的構成要素と前記治具との間の運動を可能するように構成された関節接合をさらに備え、
前記関節接合は、軸を備える、請求項１に記載の股関節ナビゲーションシステム。
【請求項１５】
前記光学的構成要素は、前記光学的構成要素と前記固定ベースとの間の多軸運動を可能にするために、前記治具に連結されるように構成される、請求項１に記載の股関節ナビゲーションシステム。
【請求項１６】
前記光学的構成要素は、前記多軸運動に加えて、軸に関して回転可能である、請求項１５に記載の股関節ナビゲーションシステム。
【請求項１７】
前記外科的配向装置は、前記外科的配向装置と前記固定ベースとの間の多軸運動を可能にするために、前記治具に連結されるように構成される、請求項１に記載の股関節ナビゲーションシステム。
【請求項１８】
前記光学的構成要素は、レーザーを備える、請求項１に記載の股関節ナビゲーションシステム。
【請求項１９】
前記光学的構成要素は、前記治具の両側に取り付けられるように構成される、請求項１に記載の股関節ナビゲーションシステム。
【請求項２０】
前記光学的構成要素は、軸に関して回転可能である、請求項１に記載の股関節ナビゲーションシステム。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
複数種類の電子部品が搭載された基板を備え、
前記複数種類の電子部品は、複数の識別電子部品を含み、
前記複数の識別電子部品は、基板外部からの信号の入力に用いられる信号入力用の識別電子部品と基板外部への信号の出力に用いられる信号出力用の識別電子部品とを含んでおり、
前記複数の識別電子部品は、型式を示す文字情報が記されており、
前記信号入力用の識別電子部品と前記信号出力用の識別電子部品とは、前記文字情報の向きが異なるように、前記基板に搭載されており、
前記基板の第１面と第２面に配線パターンが形成されており、
前記第１面に形成される配線パターンは、第１方向に延びる配線パターンの割合が前記第１方向と異なる第２方向に延びる配線パターンの割合よりも多く、
前記第２面に形成される配線パターンは、前記第２方向に延びる配線パターンの割合が前記第１方向に延びる配線パターンの割合よりも多い、
ことを特徴とする遊技機。
【手続補正２】
【補正対象書類名】明細書
【補正対象項目名】０００４
【補正方法】変更
【補正の内容】
【０００４】
この種の基板においては、配線パターンの設計や電子部品の配置に関して種々の課題が存在している。
【手続補正３】
【補正対象書類名】明細書
【補正対象項目名】０００５
【補正方法】変更
【補正の内容】
【０００５】
本発明は、このような問題点に着目してなされたもので、基板の配線パターンや電子部品の配置が好適に設計された遊技機を提供することを目的とする。
【手続補正４】
【補正対象書類名】明細書
【補正対象項目名】０００６
【補正方法】変更
【補正の内容】
【０００６】
前記課題を解決するために、本発明の手段１の遊技機は、
遊技を行う遊技機であって、
複数種類の電子部品が搭載された基板を備え、
前記複数種類の電子部品は、複数の識別電子部品を含み、
前記複数の識別電子部品は、基板外部からの信号の入力に用いられる信号入力用の識別電子部品と基板外部への信号の出力に用いられる信号出力用の識別電子部品とを含んでおり、
前記複数の識別電子部品は、型式を示す文字情報が記されており、
前記信号入力用の識別電子部品と前記信号出力用の識別電子部品とは、前記文字情報の向きが異なるように、前記基板に搭載されており、
前記基板の第１面と第２面に配線パターンが形成されており、
前記第１面に形成される配線パターンは、第１方向に延びる配線パターンの割合が前記第１方向と異なる第２方向に延びる配線パターンの割合よりも多く、
前記第２面に形成される配線パターンは、前記第２方向に延びる配線パターンの割合が前記第１方向に延びる配線パターンの割合よりも多い、
ことを特徴とする。この特徴によれば基板の配線パターンや電子部品の配置を好適に設計することが出来る。
また本発明の他の遊技機は、遊技が可能な遊技機であって、
制御手段（遊技制御用マイクロコンピュータ）と、前記制御手段（遊技制御用マイクロコンピュータ）の制御に用いられる電子部品（入力部品）からの入力信号に基づく入力データを前記制御手段（遊技制御用マイクロコンピュータ）に伝送する入力回路と、前記制御手段（遊技制御用マイクロコンピュータ）から伝送された出力データに基づいて電子部品（出力部品）に対して出力信号を出力する出力回路と、が実装されるとともに、配線パターンが形成された基板（遊技制御基板）を備え、
前記配線パターンは、前記入力回路からの入力データの前記制御手段（遊技制御用マイクロコンピュータ）への伝送及び前記制御手段（遊技制御用マイクロコンピュータ）からの出力データの前記出力回路への伝送に共用されるデータバスを含み、
前記出力回路は、前記制御手段（遊技制御用マイクロコンピュータ）から伝送された出力データに基づいて遊技の進行に応じた可動部の動作を行う第１電子部品（第１出力部品）に対して出力信号を出力する第１出力回路（第１出力回路）と、前記制御手段（遊技制御用マイクロコンピュータ）から伝送された出力データに基づいて遊技の進行に応じた表示を行う第２電子部品（第２出力部品）に対して出力信号を出力する第２出力回路（第２出力回路）と、を含み、
前記第１出力回路（第１出力回路）は、前記第２出力回路（第２出力回路）よりも前記制御手段（遊技制御用マイクロコンピュータ）までの配線パターンが短くなるように前記データバスに接続される
ことを特徴としている。
この特徴によれば、遊技の進行に応じた可動部の動作を行う第１電子部品に対して出力信号を出力する第１出力回路が、遊技の進行に応じた表示を行う第２電子部品に対して出力信号を出力する第２出力回路よりも制御手段までの配線パターンが短くなるようにデータバスに接続されるので、出力データがノイズ等の影響を受けることで遊技の進行に応じた可動部の動作に影響を与えてしまうことを防止できる。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
複数種類の電子部品が搭載された基板を備え、
前記複数種類の電子部品は、複数の識別電子部品を含み、
前記複数の識別電子部品は、基板外部からの信号の入力に用いられる信号入力用の識別電子部品と基板外部への信号の出力に用いられる信号出力用の識別電子部品とを含んでおり、
前記複数の識別電子部品は、型式を示す文字情報が記されており、
前記信号入力用の識別電子部品と前記信号出力用の識別電子部品とは、前記文字情報の向きが異なるように、前記基板に搭載されており、
前記基板に配線パターンが形成されており、
前記複数種類の電子部品は、第１電圧の信号が伝達される配線パターンが接続される第１電子部品と、第２電圧の信号が伝達される配線パターンが接続される第２電子部品と、を含み、
前記第１電子部品は第１グランドに接続され、前記第２電子部品は前記第１グランドと絶縁部によって隔てられた第２グランドに接続される、
ことを特徴とする遊技機。
【手続補正２】
【補正対象書類名】明細書
【補正対象項目名】０００４
【補正方法】変更
【補正の内容】
【０００４】
この種の基板においては、配線パターンの設計や電子部品の配置に関して種々の課題が存在している。
【手続補正３】
【補正対象書類名】明細書
【補正対象項目名】０００５
【補正方法】変更
【補正の内容】
【０００５】
本発明は、このような問題点に着目してなされたもので、基板の配線パターンや電子部品の配置が好適に設計された遊技機を提供することを目的とする。
【手続補正４】
【補正対象書類名】明細書
【補正対象項目名】０００６
【補正方法】変更
【補正の内容】
【０００６】
前記課題を解決するために、本発明の手段１の遊技機は、
遊技が可能な遊技機であって、
複数種類の電子部品が搭載された基板を備え、
前記複数種類の電子部品は、複数の識別電子部品を含み、
前記複数の識別電子部品は、基板外部からの信号の入力に用いられる信号入力用の識別電子部品と基板外部への信号の出力に用いられる信号出力用の識別電子部品とを含んでおり、
前記複数の識別電子部品は、型式を示す文字情報が記されており、
前記信号入力用の識別電子部品と前記信号出力用の識別電子部品とは、前記文字情報の向きが異なるように、前記基板に搭載されており、
前記基板に配線パターンが形成されており、
前記複数種類の電子部品は、第１電圧の信号が伝達される配線パターンが接続される第１電子部品と、第２電圧の信号が伝達される配線パターンが接続される第２電子部品と、を含み、
前記第１電子部品は第１グランドに接続され、前記第２電子部品は前記第１グランドと絶縁部によって隔てられた第２グランドに接続される、
ことを特徴とする。この特徴によれば基板の配線パターンや電子部品の配置を好適に設計することが出来る。
また本発明の他の遊技機は、遊技が可能な遊技機であって、
制御手段（遊技制御用マイクロコンピュータ）と、前記制御手段（遊技制御用マイクロコンピュータ）の制御に用いられる電子部品（入力部品）からの入力信号に基づく入力データを前記制御手段（遊技制御用マイクロコンピュータ）に伝送する入力回路と、前記制御手段（遊技制御用マイクロコンピュータ）から伝送された出力データに基づいて電子部品（出力部品）に対して出力信号を出力する出力回路と、が実装されるとともに、配線パターンが形成された基板（遊技制御基板）を備え、
前記配線パターンは、前記入力回路からの入力データの前記制御手段（遊技制御用マイクロコンピュータ）への伝送及び前記制御手段（遊技制御用マイクロコンピュータ）からの出力データの前記出力回路への伝送に共用されるデータバスを含み、
前記出力回路は、前記制御手段（遊技制御用マイクロコンピュータ）から伝送された出力データに基づいて遊技の進行に応じた可動部の動作を行う第１電子部品（第１出力部品）に対して出力信号を出力する第１出力回路（第１出力回路）と、前記制御手段（遊技制御用マイクロコンピュータ）から伝送された出力データに基づいて遊技の進行に応じた表示を行う第２電子部品（第２出力部品）に対して出力信号を出力する第２出力回路（第２出力回路）と、を含み、
前記第２出力回路（第２出力回路）は、前記第１出力回路（第１出力回路）よりも前記制御手段（遊技制御用マイクロコンピュータ）までの配線パターンが短くなるように前記データバスに接続される
ことを特徴としている。
この特徴によれば、遊技の進行に応じた表示を行う第２電子部品に対して出力信号を出力する第２出力回路が、遊技の進行に応じた可動部の動作を行う第１電子部品に対して出力信号を出力する第１出力回路よりも制御手段までの配線パターンが短くなるようにデータバスに接続されるので、出力データがノイズ等の影響を受けることで遊技の進行に応じた表示に影響を与えてしまうことを防止できる。
【手続補正書】
【提出日】令和3年7月14日(2021.7.14)
【手続補正１】
【補正対象書類名】特許請求の範囲
【補正対象項目名】全文
【補正方法】変更
【補正の内容】
【特許請求の範囲】
【請求項１】
第１判定を実行可能な第１判定手段と、
その第１判定手段による判定結果を示すための第１識別情報が表示される第１表示手段と、
その第１表示手段に前記第１識別情報を動的表示させる第１動的表示手段と、
その第１動的表示手段により前記第１識別情報が動的表示される期間を決定する第１動的表示期間決定手段と、
第２判定を実行可能な第２判定手段と、
その第２判定手段による判定結果を示すための第２識別情報が表示される第２表示手段と、
その第２表示手段に前記第２識別情報を動的表示させる第２動的表示手段と、
その第２動的表示手段により前記第２識別情報が動的表示される期間を決定する第２動的表示期間決定手段と、
前記第１表示手段に特定の第１判定結果を示すための前記第１識別情報が表示された場合に、第１特典遊技を実行し、前記第２表示手段に特定の第２判定結果を示すための前記第２識別情報が表示された場合に、第２特典遊技を実行する特典遊技実行手段と、を有した遊技機において、
前記第１判定よりも前記第２判定が実行され易くする第１遊技状態と、前記第２判定よりも前記第１判定が実行され易くする第２遊技状態と、を設定可能な遊技状態設定手段を備え、
前記遊技状態設定手段は、前記第１遊技状態を設定した後に所定の移行条件が成立したことに基づいて前記第２遊技状態を設定可能であり、
前記遊技機は、
前記遊技状態設定手段により前記第１遊技状態が設定された場合において、前記第２識別情報の動的表示における状況に基づいて前記第１遊技状態が設定されたことを遊技者に識別可能な報知態様で報知するタイミングが決定可能に構成され、
前記第１遊技状態中に前記第２判定が実行されること無く前記移行条件が成立する場合には前記報知態様での報知が実行されないように構成され、
前記第１遊技状態が設定されてから前記報知態様が報知されるまでの期間において、前記第１遊技状態が設定されるよりも前から実行されていた遊技に関する所定報知を実行可能に構成され、
前記第１遊技状態が設定されてから前記報知態様が報知されるまでの期間の長さに関わらず、前記第１遊技状態が終了するまでの期間の長さに対応した態様で前記報知態様を報知可能に構成されていることを特徴とする遊技機。
【手続補正２】
【補正対象書類名】明細書
【補正対象項目名】０００６
【補正方法】変更
【補正の内容】
【０００６】
この目的を達成するために本発明の遊技機は、第１判定を実行可能な第１判定手段と、その第１判定手段による判定結果を示すための第１識別情報が表示される第１表示手段と、その第１表示手段に前記第１識別情報を動的表示させる第１動的表示手段と、その第１動的表示手段により前記第１識別情報が動的表示される期間を決定する第１動的表示期間決定手段と、第２判定を実行可能な第２判定手段と、その第２判定手段による判定結果を示すための第２識別情報が表示される第２表示手段と、その第２表示手段に前記第２識別情報を動的表示させる第２動的表示手段と、その第２動的表示手段により前記第２識別情報が動的表示される期間を決定する第２動的表示期間決定手段と、前記第１表示手段に特定の第１判定結果を示すための前記第１識別情報が表示された場合に、第１特典遊技を実行し、前記第２表示手段に特定の第２判定結果を示すための前記第２識別情報が表示された場合に、第２特典遊技を実行する特典遊技実行手段と、を有し、前記第１判定よりも前記第２判定が実行され易くする第１遊技状態と、前記第２判定よりも前記第１判定が実行され易くする第２遊技状態と、を設定可能な遊技状態設定手段を備え、前記遊技状態設定手段は、前記第１遊技状態を設定した後に所定の移行条件が成立したことに基づいて前記第２遊技状態を設定可能であり、前記遊技機は、前記遊技状態設定手段により前記第１遊技状態が設定された場合において、前記第２識別情報の動的表示における状況に基づいて前記第１遊技状態が設定されたことを遊技者に識別可能な報知態様で報知するタイミングが決定可能に構成され、前記第１遊技状態中に前記第２判定が実行されること無く前記移行条件が成立する場合には前記報知態様での報知が実行されないように構成され、前記第１遊技状態が設定されてから前記報知態様が報知されるまでの期間において、前記第１遊技状態が設定されるよりも前から実行されていた遊技に関する所定報知を実行可能に構成され、前記第１遊技状態が設定されてから前記報知態様が報知されるまでの期間の長さに関わらず、前記第１遊技状態が終了するまでの期間の長さに対応した態様で前記報知態様を報知可能に構成されている。
【手続補正３】
【補正対象書類名】明細書
【補正対象項目名】００１１
【補正方法】変更
【補正の内容】
【００１１】
本発明の遊技機によれば、第１判定を実行可能な第１判定手段と、その第１判定手段による判定結果を示すための第１識別情報が表示される第１表示手段と、その第１表示手段に前記第１識別情報を動的表示させる第１動的表示手段と、その第１動的表示手段により前記第１識別情報が動的表示される期間を決定する第１動的表示期間決定手段と、第２判定を実行可能な第２判定手段と、その第２判定手段による判定結果を示すための第２識別情報が表示される第２表示手段と、その第２表示手段に前記第２識別情報を動的表示させる第２動的表示手段と、その第２動的表示手段により前記第２識別情報が動的表示される期間を決定する第２動的表示期間決定手段と、前記第１表示手段に特定の第１判定結果を示すための前記第１識別情報が表示された場合に、第１特典遊技を実行し、前記第２表示手段に特定の第２判定結果を示すための前記第２識別情報が表示された場合に、第２特典遊技を実行する特典遊技実行手段と、を有し、前記第１判定よりも前記第２判定が実行され易くする第１遊技状態と、前記第２判定よりも前記第１判定が実行され易くする第２遊技状態と、を設定可能な遊技状態設定手段を備え、前記遊技状態設定手段は、前記第１遊技状態を設定した後に所定の移行条件が成立したことに基づいて前記第２遊技状態を設定可能であり、前記遊技機は、前記遊技状態設定手段により前記第１遊技状態が設定された場合において、前記第２識別情報の動的表示における状況に基づいて前記第１遊技状態が設定されたことを遊技者に識別可能な報知態様で報知するタイミングが決定可能に構成され、前記第１遊技状態中に前記第２判定が実行されること無く前記移行条件が成立する場合には前記報知態様での報知が実行されないように構成され、前記第１遊技状態が設定されてから前記報知態様が報知されるまでの期間において、前記第１遊技状態が設定されるよりも前から実行されていた遊技に関する所定報知を実行可能に構成され、前記第１遊技状態が設定されてから前記報知態様が報知されるまでの期間の長さに関わらず、前記第１遊技状態が終了するまでの期間の長さに対応した態様で前記報知態様を報知可能に構成されている。
【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
被収容物を収容し所定の枠部材に対して相対変位可能に構成される収容体を備えた遊技機において、
前記被収容物に配設され操作可能に構成される操作手段と、
その操作手段の操作に関する情報を遊技機前面側へ向けて報知可能とされ遊技機前面側に配設される報知手段と、
第１の電気的接続線により前記被収容物に接続され前記報知手段を制御する制御手段と、
第２の電気的接続線により前記被収容物に接続される電源手段と、を備え、
前記被収容物には、前記第１の電気的接続線と、前記第２の電気的接続線と、１又は複数の他の電気的接続線とが接続され、
前記電気的接続線の内の少なくとも前記第１の電気的接続線および前記第２の電気的接続線が前記被収容物に接続され、少なくとも１の前記他の電気的接続線が非接続とされた状態において、前記操作手段の操作に関する情報が報知可能に構成され、
前記収容体は、前記遊技機の前面視において前記所定の枠部材に前記操作手段が重ならない位置まで前記所定の枠部材に対して相対変位可能とされ、
前記報知手段は、少なくとも２種以上の態様で報知可能に構成されることを特徴とする遊技機。
【手続補正２】
【補正対象書類名】明細書
【補正対象項目名】０００５
【補正方法】変更
【補正の内容】
【０００５】
この目的を達成するために請求項１記載の遊技機は、被収容物を収容し所定の枠部材に対して相対変位可能に構成される収容体を備えたものであり、前記被収容物に配設され操作可能に構成される操作手段と、その操作手段の操作に関する情報を遊技機前面側へ向けて報知可能とされ遊技機前面側に配設される報知手段と、第１の電気的接続線により前記被収容物に接続され前記報知手段を制御する制御手段と、第２の電気的接続線により前記被収容物に接続される電源手段と、を備え、前記被収容物には、前記第１の電気的接続線と、前記第２の電気的接続線と、１又は複数の他の電気的接続線とが接続され、前記電気的接続線の内の少なくとも前記第１の電気的接続線および前記第２の電気的接続線が前記被収容物に接続され、少なくとも１の前記他の電気的接続線が非接続とされた状態において、前記操作手段の操作に関する情報が報知可能に構成され、前記収容体は、前記遊技機の前面視において前記所定の枠部材に前記操作手段が重ならない位置まで前記所定の枠部材に対して相対変位可能とされ、前記報知手段は、少なくとも２種以上の態様で報知可能に構成される。
【手続補正３】
【補正対象書類名】明細書
【補正対象項目名】２８７２
【補正方法】変更
【補正の内容】
【２８７２】
１０，Ａ１０，Ａ３０１０      パチンコ機（遊技機）
８１                          第３図柄表示装置（報知手段）
１１３                        音声ランプ基板（制御手段）
１１５                        電源装置（電源手段）
１２                          内枠（所定の枠部材）
２２６ 音声出力装置（報知手段）
Ａ１００，Ａ２１００，Ａ３１００  基板ボックス（収容体）
Ａ１１０                      主制御装置（被収容物）
Ａ１２０                      スイッチ装置（操作手段）
【手続補正書】
【提出日】令和3年8月19日(2021.8.19)
【手続補正１】
【補正対象書類名】特許請求の範囲
【補正対象項目名】全文
【補正方法】変更
【補正の内容】
【特許請求の範囲】
【請求項１】
管腔内補綴具であって、
複数の円周方向リングに形成される非分解性材料を備える、管状本体からパターン化された足場を備え、
前記足場は、圧着構成から拡張構成まで拡張するように構成され、
前記円周方向リングのうちの少なくともいくつかは、クラウンによって継合された支柱を備える構造要素を備え、前記構造要素は、反管腔側表面、管腔表面、および２つの側面を備え、
少なくともいくつかの円周方向リングは、隣接する円周方向リングに軸方向に継合され、
前記円周方向リングのうちの少なくともいくつかは、第１の自由端部を有する第１の区分を、第２の自由端部を有する第２の区分から分離する、事前形成された切れ目を有する少なくとも１つの分離領域を備え、ステントがその圧着構成にあるとき、前記第１および第２の区分は、重複し、前記円周方向リングの前記側面に沿って互いに隣接して位置し、
前記分離領域は、生理学的環境内において拡張の際にともに保持され、前記生理学的環境内に前記足場の拡張の後に前記円周方向リングに少なくとも１つの不連続性を形成するために前記切れ目において分離するように構成され、前記少なくとも１つの不連続性は、軸方向、半径方向、円周方向、またはそれらの組み合わせにおいて互いに対して前記自由端部の移動を可能にする、管腔内補綴具。
【請求項２】
前記少なくとも１つの分離領域は、生分解性材料によって継合され、被覆され、または前記生分解性材料に埋め込まれ、前記生分解性材料は、前記生理学的環境内において分解するコーティング、スリーブ、はんだ、および／または接着剤として形成されるポリマーを備える、請求項１に記載の管腔内補綴具。
【請求項３】
全ての円周方向リングは、１つ以上のリンクによって軸方向に継合され、前記円周方向リングは、全ての軸方向リンクが生理学的環境内において拡張の後に実質的に無傷のままであることを伴って全ての不連続性が形成された後に、軸方向に継合されるままである、請求項１に記載の管腔内補綴具。
【請求項４】
前記第１の自由端部は、ロックを備え、前記第２の自由端部は、キーを備える、請求項１に記載の管腔内補綴具。
【請求項５】
前記ロックおよびキー接合は、オス型部分およびメス型部分を備え、前記オス型部分は、前記メス型部分の２つのアームの間のスロットまたはチャネルに嵌合し、前記オス型部分の長さおよび前記メス型部分のスロットまたはチャネルは、前記オス型部分および前記メス型部分を含有する前記支柱の幅より長い、請求項４に記載の管腔内補綴具。
【請求項６】
前記少なくとも１つの分離領域は、１つの円周方向リング上に２つのクラウンを継合する支柱内にある、請求項１に記載の管腔内補綴具。
【請求項７】
前記足場は、全ての不連続性が形成された後に、２つ以上の軸方向に継合された区分に分離し、前記２つ以上の区分のうちの少なくともいくつかは、前記足場の第１の端部から前記足場の第２の端部まで延在する分離線に沿って円周方向に分離し、前記分離線は、前記足場の長さに沿って軸方向または渦巻状の幾何学形状を有する、請求項１に記載の管腔内補綴具。
【請求項８】
前記円周方向リングのうちの前記少なくともいくつかの前記支柱、クラウン、および前記ともに保持された分離領域は、前記足場の周りに連続周囲を提供し、隣接するリングは、軸方向に継合されている、請求項１に記載の管腔内補綴具。
【請求項９】
前記円周方向リングのうちの少なくともいくつかは、螺旋状足場を形成するために継合する端部領域を伴う不連続周囲を有する、請求項１に記載の管腔内補綴具。
【請求項１０】
前記補綴具は、開放セル、閉鎖セル、または螺旋骨格の設計を有し、および／または各円周方向リングは、分離領域を有する、１〜５個の支柱を有する、請求項１に記載の管腔内補綴具。
【請求項１１】
少なくともいくつかの円周方向リングの全てのクラウンは、分離領域から自由であり、および／または前記円周方向リング内の前記不連続性は、前記足場が、生理学的環境内において最初の拡張から内向き反跳の後にさらに拡張することを可能にするように構成されている、請求項１に記載の管腔内補綴具。
【請求項１２】
前記円周方向リングのうちの少なくともいくつかの前記支柱およびクラウンは、前記円周方向リングのそれぞれにおいて連続円周方向経路を形成し、前記円周方向リングのうちの少なくともいくつか内に位置している前記分離領域は、生理学的環境内において拡張の後に前記経路のそれぞれにおいて不連続性を形成し、前記少なくともいくつかの円周方向リングのそれぞれにおいて不連続円周経路を提供する、請求項１に記載の管腔内補綴具。
【請求項１３】
前記補綴具は、前記補綴具の少なくとも１つの表面上に少なくとも１つのコーティング、および／または前記補綴具の少なくとも１つの表面上に少なくとも１つの薬物を備え、および／または前記非分解性材料は、金属または金属合金材料を備える、請求項１に記載の管腔内補綴具。
【請求項１４】
少なくとも２つの隣接リングは、前記２つの隣接リングのうちの一方上のクラウンと前記２つの隣接リングのうちの他方上のクラウンとの間の軸方向リンクを通して接続され、前記クラウンに接続された前記支柱のいずれも、分離領域を備えておらず、または少なくとも２つの隣接リングは、前記２つの隣接リングのうちの一方上のクラウンと前記２つの隣接リングのうちの他方上のクラウンとの間の軸方向リンクを通して接続され、前記クラウンに接続される、前記支柱のうちの少なくとも１つは、分離領域を備える、請求項１に記載の管腔内補綴具。
【請求項１５】
前記自由端部は、オス型部分およびメス型部分、ボールおよびソケット、円盤およびキャップ、相互係止コーム、相互係止歯、あるいは、波形または起伏相互係止表面を備える、請求項１に記載の管腔内補綴具。
【請求項１６】
前記円周方向リングの前記分離領域は、無作為なパターンを有し、または円周方向リングの間で回転可能にオフセットされている、請求項１に記載の管腔内補綴具。